(57)【要約】【課題】ユーザ状態を反映させた表示制御を実現できるデジタルフォトフレーム、情報処理システム、制御方法、プログラム及び情報記憶媒体の提供。【解決手段】デジタルフォトフレームは、表示部と、表示制御部と、ユーザ検知センサにより検知された検知情報を取得する検知情報取得部と、取得された検知情報に基づいて、ユーザと表示部との位置関係、表示部に対するユーザの視認状態、及びユーザが検知範囲内に存在するか否かの少なくとも１つを判断するユーザ状態判断部を含む。表示制御部は、ユーザと表示部との位置関係、ユーザの視認状態、及びユーザが検知範囲内に存在するか否かの少なくとも１つに応じて、表示部に表示される画像の表示態様を変化させる表示制御を行う。【選択図】図１２
2010004118.tif 000002
【特許請求の範囲】
【請求項１】
画像が表示される表示部と、
前記表示部の表示制御を行う表示制御部と、
ユーザ検知センサにより検知された検知情報を取得する検知情報取得部と、
取得された前記検知情報に基づいて、ユーザと前記表示部との位置関係、前記表示部に対するユーザの視認状態、及びユーザが検知範囲内に存在するか否かの少なくとも１つを判断するユーザ状態判断部とを含み、
前記表示制御部は、
ユーザと前記表示部との前記位置関係、ユーザの前記視認状態、及びユーザが前記検知範囲内に存在するか否かの少なくとも１つに応じて、前記表示部に表示される画像の表示態様を変化させる表示制御を行うことを特徴とするデジタルフォトフレーム。
【請求項２】
請求項１において、
前記ユーザ状態判断部は、
ユーザと前記表示部との前記位置関係として、ユーザと前記表示部との間の距離を判断し、
前記表示制御部は、
ユーザと前記表示部との間の距離に応じて、前記表示部に表示される画像の表示態様を変化させる表示制御を行うことを特徴とするデジタルフォトフレーム。
【請求項３】
請求項２において、
前記表示制御部は、
ユーザと前記表示部との間の距離が近いほど、前記表示部に表示される画像の詳細度を高くする表示制御を行うことを特徴とするデジタルフォトフレーム。
【請求項４】
請求項２において、
前記表示制御部は、
ユーザと前記表示部との間の距離が近いほど、前記表示部に表示される画像の画面分割数を多くする表示制御を行うことを特徴とするデジタルフォトフレーム。
【請求項５】
請求項２において、
前記表示制御部は、
ユーザと前記表示部との間の距離が近いほど、前記表示部に表示される文字のサイズを小さくする表示制御を行うことを特徴とするデジタルフォトフレーム。
【請求項６】
請求項２乃至５のいずれかにおいて、
ユーザと前記表示部との間の距離に応じて、前記表示部の表示モードを切り替える表示モード切り替え部を含むことを特徴とするデジタルフォトフレーム。
【請求項７】
請求項６において、
前記表示モード切り替え部は、
ユーザと前記表示部との間の距離が近づいた場合に、前記表示モードを、簡略表示モードから詳細表示モードに切り替えることを特徴とするデジタルフォトフレーム。
【請求項８】
請求項７において、
前記表示モード切り替え部は、
前記表示モードが前記簡略表示モードから前記詳細表示モードに切り替わった後、所定時間の間、前記詳細表示モードが解除されるのをウェイトすることを特徴とするデジタルフォトフレーム。
【請求項９】
請求項２乃至８のいずれかにおいて、
前記ユーザ検知センサは、ユーザを撮像する撮像センサであり、
前記ユーザ状態判断部は、
前記撮像センサからの撮像情報に基づいて、ユーザの顔領域を検出し、検出された前記顔領域のサイズに基づいて、ユーザと前記表示部との間の距離を判断することを特徴とするデジタルフォトフレーム。
【請求項１０】
請求項２乃至８のいずれかにおいて、
前記ユーザ検知センサは、ユーザを撮像する撮像センサであり、
前記ユーザ状態判断部は、
ユーザに対する自動焦点合わせ処理により、ユーザと前記表示部との間の距離を判断することを特徴とするデジタルフォトフレーム。
【請求項１１】
請求項２乃至８のいずれかにおいて、
前記ユーザ検知センサは超音波センサであり、
前記ユーザ状態判断部は、
前記超音波センサにより、ユーザと前記表示部との間の距離を判断することを特徴とするデジタルフォトフレーム。
【請求項１２】
請求項１乃至１１のいずれかにおいて、
前記ユーザ状態判断部は、
ユーザの前記視認状態として、ユーザが前記表示部を注視している状態か否かを判断し、
前記表示制御部は、
ユーザが前記表示部を注視しているか否かに応じて、前記表示部に表示される画像の表示態様を変化させる表示制御を行うことを特徴とするデジタルフォトフレーム。
【請求項１３】
請求項１２において、
前記表示制御部は、
ユーザが前記表示部を注視した注視回数情報に応じて、前記表示部に表示される画像の表示態様を変化させる表示制御を行うことを特徴とするデジタルフォトフレーム。
【請求項１４】
請求項１３において、
前記表示制御部は、
所定時間内での第１の画像に対するユーザの注視回数が所定回数以上である場合に、前記第１の画像に対応する注視用画像への切り替え制御を行うことを特徴とするデジタルフォトフレーム。
【請求項１５】
請求項１２において、
前記表示制御部は、
所定時間内での第１の画像に対するユーザの注視回数情報に基づいて、前記第１の画像又は前記第１の画像の関連画像の表示頻度を変化させることを特徴とするデジタルフォトフレーム。
【請求項１６】
請求項１２において、
前記表示制御部は、
ユーザが第１の画像を注視していると判断された場合には、前記第１の画像に対応する注視用画像への切り替え制御を行うことを特徴とするデジタルフォトフレーム。
【請求項１７】
請求項１２において、
前記表示制御部は、
ユーザが前記表示部を注視していないと判断された場合には、第１〜第Ｎ（Ｎは２以上の整数）の画像を前記表示部にスライド表示する制御を行い、前記第１〜第Ｎの画像のうちの第Ｋ（１≦Ｋ≦Ｎ）の画像が表示されている時にユーザが前記表示部を注視していると判断された場合には、前記第Ｋの画像の関連画像又は詳細画像である注視用画像を前記表示部に表示する制御を行うことを特徴とするデジタルフォトフレーム。
【請求項１８】
請求項１６又は１７において、
前記ユーザ状態判断部は、
ユーザと前記表示部の前記位置関係として、ユーザと前記表示部との間の距離を判断し、
前記表示制御部は、
前記注視用画像が表示されている時に、ユーザが前記表示部に近づいたと判断された場合には、前記注視用画像の詳細画像を表示する制御を行うことを特徴とするデジタルフォトフレーム。
【請求項１９】
請求項１６又は１７において、
前記表示制御部は、
ユーザが前記表示部に近づいていないと判断された場合には、前記注視用画像として、第１〜第Ｍ（Ｍは２以上の整数）の注視用画像を前記表示部にスライド表示する制御を行い、前記第１〜第Ｍの注視用画像のうちの第Ｌ（１≦Ｌ≦Ｍ）の注視用画像が表示されている時にユーザが前記表示部に近づいたと判断された場合には、前記第Ｌの注視用画像の詳細画像を前記表示部に表示する制御を行うことを特徴とするデジタルフォトフレーム。
【請求項２０】
請求項１２乃至１９のいずれかにおいて、
前記ユーザ検知センサは、ユーザを撮像する撮像センサであり、
前記ユーザ状態判断部は、
前記撮像センサからの撮像情報に基づいて、ユーザの顔領域を検出し、検出された前記顔領域を内包し前記顔領域よりもサイズが大きな計測領域を設定し、前記計測領域内に前記顔領域が存在する時間を計測し、計測された時間に基づいて、ユーザが前記表示部を注視しているか否かを判断することを特徴とするデジタルフォトフレーム。
【請求項２１】
請求項１２乃至２０のいずれかにおいて、
ユーザが前記表示部を注視しているか否かに応じて、前記表示部の表示モードを切り替える表示モード切り替え部を含むことを特徴とするデジタルフォトフレーム。
【請求項２２】
請求項２１において、
前記表示モード切り替え部は、
前記表示モードが注視モードに切り替わった後、所定時間の間、前記注視モードが解除されるのをウェイトすることを特徴とするデジタルフォトフレーム。
【請求項２３】
請求項１乃至２２のいずれかにおいて、
前記ユーザ状態判断部は、
ユーザが前記検知範囲内に存在するか否かを判断し、
前記表示制御部は、
ユーザが前記検知範囲内に存在すると判断された場合に、前記表示部の表示をオンにする表示制御を行うことを特徴とするデジタルフォトフレーム。
【請求項２４】
請求項２３において、
前記ユーザ状態判断部は、
前記表示部の表示がオンになった後、ユーザの前記視認状態として、ユーザの視野範囲内に前記表示部が入っている状態か否かを判断し、
前記表示制御部は、
ユーザの視野範囲内に前記表示部を入っていると判断された場合には、第１〜第Ｎの画像を前記表示部にスライド表示する制御を行うことを特徴とするデジタルフォトフレーム。
【請求項２５】
デジタルフォトフレームの表示部に表示される画像の表示指示を行う表示指示部と、
ユーザ検知センサにより検知された検知情報を取得する検知情報取得部と、
取得された前記検知情報に基づいて、ユーザと前記表示部との位置関係、前記表示部に対するユーザの視認状態、及びユーザが検知範囲内に存在するか否かの少なくとも１つを判断するユーザ状態判断部とを含み、
前記表示指示部は、
ユーザと前記表示部との前記位置関係、ユーザの前記視認状態、及びユーザが前記検知範囲内に存在するか否かの少なくとも１つに応じて、前記表示部に表示される画像の表示態様を変化させる表示指示を行うことを特徴とする情報処理システム。
【請求項２６】
デジタフフォトフレームの制御方法であって、
ユーザ検知センサにより検知された検知情報を取得し、
取得された前記検知情報に基づいて、ユーザとデジタルフォトフレームの表示部との位置関係、前記表示部に対するユーザの視認状態、及びユーザが検知範囲内に存在するか否かの少なくとも１つを判断し、
ユーザと前記表示部との前記位置関係、ユーザの前記視認状態、及びユーザが前記検知範囲内に存在するか否かの少なくとも１つに応じて、前記表示部に表示される画像の表示態様を変化させる表示制御を行うことを特徴とする制御方法。
【請求項２７】
デジタルフォトフレームの表示部の表示制御を行う表示制御部と、
ユーザ検知センサにより検知された検知情報を取得する検知情報取得部と、
取得された前記検知情報に基づいて、ユーザと前記表示部との位置関係、前記表示部に対するユーザの視認状態、及びユーザが検知範囲内に存在するか否かの少なくとも１つを判断するユーザ状態判断部として、
コンピュータを機能させ、
前記表示制御部は、
ユーザと前記表示部との前記位置関係、ユーザの前記視認状態、及びユーザが前記検知範囲内に存在するか否かの少なくとも１つに応じて、前記表示部に表示される画像の表示態様を変化させる表示制御を行うことを特徴とするプログラム。
【請求項２８】
コンピュータ読み取り可能な情報記憶媒体であって、請求項２７に記載のプログラムを記憶したことを特徴とする情報記憶媒体。
【発明の詳細な説明】
【技術分野】
【０００１】
本発明は、デジタルフォトフレーム、情報処理システム、制御方法、プログラム及び情報記憶媒体等に関する。
【背景技術】
【０００２】
近年、デジタルスチルカメラなどのデジタルカメラで撮影した画像を手軽に再生できる装置として、デジタルフォトフレームが脚光を浴びている。このデジタルフォトフレームは、フォトスタンドの写真を入れる部分が液晶ディスプレイに置き換えられた形態の装置であり、メモリカードや通信装置を介して読み込まれたデジタルの画像データ（電子写真）の再生処理を行う。
【０００３】
デジタルフォトフレームの従来技術としては例えば特許文献１に開示される技術がある。この従来技術では、電話回線接続装置を、デジタルフォトフレームであるデジタルフォトスタンドに具備させて、フォトスタンドと有線又は無線の電話回線との間の伝送路の形成を実現している。
【０００４】
しかしながら、これまでのデジタルフォトフレームでは、デジタルカメラ等で撮影された画像を単に再生する機能しか有しておらず、ユーザの状態などを反映させた表示制御は行われていなかった。このため再生画像が単調であり、ユーザに対して多様な画像を表示することができなかった。
【０００５】
【特許文献１】特開２０００−３２４４７３号公報
【発明の開示】
【発明が解決しようとする課題】
【０００６】
本発明の幾つかの態様によれば、ユーザ状態を反映させた表示制御を実現できるデジタルフォトフレーム、情報処理システム、制御方法、プログラム及び情報記憶媒体を提供できる。
【課題を解決するための手段】
【０００７】
本発明は、画像が表示される表示部と、前記表示部の表示制御を行う表示制御部と、ユーザ検知センサにより検知された検知情報を取得する検知情報取得部と、取得された前記検知情報に基づいて、ユーザと前記表示部との位置関係、前記表示部に対するユーザの視認状態、及びユーザが検知範囲内に存在するか否かの少なくとも１つを判断するユーザ状態判断部とを含み、前記表示制御部は、ユーザと前記表示部との前記位置関係、ユーザの前記視認状態、及びユーザが前記検知範囲内に存在するか否かの少なくとも１つに応じて、前記表示部に表示される画像の表示態様を変化させる表示制御を行うデジタルフォトフレームに関係する。また本発明は、上記各部としてコンピュータを機能させるプログラム、又は該プログラムを記憶したコンピュータ読み取り可能な情報記憶媒体に関係する。
【０００８】
本発明によれば、ユーザ検知センサにより検知された検知情報が取得され、検知情報に基づいて、ユーザ状態が判断される。そしてユーザとの位置関係、ユーザの視認状態、或いはユーザが検知範囲内に存在するか否かなどに応じて、表示部に表示される画像の表示態様が変化する。このようにすればユーザの位置関係等のユーザ状態が反映された画像がデジタルフォトフレームの表示部に表示されるようになり、これまでにないタイプのデジタルフォトフレームを提供できる。
【０００９】
また本発明では、前記ユーザ状態判断部は、ユーザと前記表示部との前記位置関係として、ユーザと前記表示部との間の距離を判断し、前記表示制御部は、ユーザと前記表示部との間の距離に応じて、前記表示部に表示される画像の表示態様を変化させる表示制御を行ってもよい。
【００１０】
このようにすれば、ユーザとの距離の大小に応じて、表示画像の表示態様が変化するようになり、距離を反映させた多様な画像表現が可能になる。
【００１１】
また本発明では、前記表示制御部は、ユーザと前記表示部との間の距離が近いほど、前記表示部に表示される画像の詳細度を高くする表示制御を行ってもよい。
【００１２】
このようにすれば、ユーザとの距離が近い場合に、より多くの情報を含んだ画像や精細な画像をユーザに提示できる。
【００１３】
また本発明では、前記表示制御部は、ユーザと前記表示部との間の距離が近いほど、前記表示部に表示される画像の画面分割数を多くする表示制御を行ってもよい。
【００１４】
このようにすれば、ユーザとの距離が近い場合に、画像の画面分割数を多くすることで、より多くの情報を含んだ画像や多様な画像をユーザに提示できる。
【００１５】
また本発明では、前記表示制御部は、ユーザと前記表示部との間の距離が近いほど、前記表示部に表示される文字のサイズを小さくする表示制御を行ってもよい。
【００１６】
このようにすれば、ユーザとの距離が近い場合に、文字のサイズを小さくすることで、より多くの文字が表示された画像等の提示が可能になる。
【００１７】
また本発明では、ユーザと前記表示部との間の距離に応じて、前記表示部の表示モードを切り替える表示モード切り替え部を含んでもよい。
【００１８】
このようにすれば、表示モードを切り替えるという簡素な処理で、ユーザとの距離に応じて表示画像の表示態様を変化させることが可能になる。
【００１９】
また本発明では、前記表示モード切り替え部は、ユーザと前記表示部との間の距離が近づいた場合に、前記表示モードを、簡略表示モードから詳細表示モードに切り替えてもよい。
【００２０】
このようにすれば、ユーザとの距離が近づいた場合に、簡略表示モードから詳細表示モードに切り替えるという簡素な制御で、簡略画像から詳細画像への表示の切り替えを実現できる。
【００２１】
また本発明では、前記表示モード切り替え部は、前記表示モードが前記簡略表示モードから前記詳細表示モードに切り替わった後、所定時間の間、前記詳細表示モードが解除されるのをウェイトしてもよい。
【００２２】
このようにすれば、表示モードが詳細表示モードに切り替わった後に直ぐに詳細表示モードが解除されてしまい、表示モードが頻繁に切り替わってしまう事態等を、効果的に防止できる。
【００２３】
また本発明では、前記ユーザ検知センサは、ユーザを撮像する撮像センサであり、前記ユーザ状態判断部は、前記撮像センサからの撮像情報に基づいて、ユーザの顔領域を検出し、検出された前記顔領域のサイズに基づいて、ユーザと前記表示部との間の距離を判断してもよい。
【００２４】
このようにすれば、顔領域のサイズを検出するだけで、ユーザとの距離を判断できると共に、ユーザの視線が表示部の方に向いていることも担保できるようになる。
【００２５】
また本発明では、前記ユーザ検知センサは、ユーザを撮像する撮像センサであり、前記ユーザ状態判断部は、ユーザに対する自動焦点合わせ処理により、ユーザと前記表示部との間の距離を判断してもよい。
【００２６】
このようにすれば、既存の自動焦点合わせを利用して、ユーザとの距離やユーザの存在等を判断することが可能になる。
【００２７】
また本発明では、前記ユーザ検知センサは超音波センサであり、前記ユーザ状態判断部は、前記超音波センサにより、ユーザと前記表示部との間の距離を判断してもよい。
【００２８】
また本発明では、前記ユーザ状態判断部は、ユーザの前記視認状態として、ユーザが前記表示部を注視している状態か否かを判断し、前記表示制御部は、ユーザが前記表示部を注視しているか否かに応じて、前記表示部に表示される画像の表示態様を変化させる表示制御を行ってもよい。
【００２９】
このようにすれば、ユーザが注視しているか否かに応じて、表示画像の表示態様が変化するようになり、ユーザの注視状態を反映させた多様な画像表現が可能になる。
【００３０】
また本発明では、前記表示制御部は、ユーザが前記表示部を注視した注視回数情報に応じて、前記表示部に表示される画像の表示態様を変化させる表示制御を行ってもよい。
【００３１】
このようにすれば、注視したか否かのみならず注視回数情報も反映させて、表示画像の表示態様が変化するようになるため、更にインテリジェントな表示制御を実現できる。
【００３２】
また本発明では、前記表示制御部は、所定時間内での第１の画像に対するユーザの注視回数が所定回数以上である場合に、前記第１の画像に対応する注視用画像への切り替え制御を行ってもよい。
【００３３】
このようにすれば、所定時間内での第１の画像の注視回数が所定回数以上になった場合に、注視用画像を表示部に表示できるようになる。
【００３４】
また本発明では、前記表示制御部は、所定時間内での第１の画像に対するユーザの注視回数情報に基づいて、前記第１の画像又は前記第１の画像の関連画像の表示頻度を変化させてもよい。
【００３５】
このようすれば、例えば注視回数が多い場合に第１の画像又はその関連画像の表示頻度を高くするというような制御が可能になる。
【００３６】
また本発明では、ユーザが第１の画像を注視していると判断された場合には、前記第１の画像に対応する注視用画像への切り替え制御を行ってもよい。
【００３７】
このようにすれば、ユーザが第１の画像を注視した場合に、注視用画像を表示部に表示できるようになる。
【００３８】
また本発明では、前記表示制御部は、ユーザが前記表示部を注視していないと判断された場合には、第１〜第Ｎ（Ｎは２以上の整数）の画像を前記表示部にスライド表示する制御を行い、前記第１〜第Ｎの画像のうちの第Ｋ（１≦Ｋ≦Ｎ）の画像が表示されている時にユーザが前記表示部を注視していると判断された場合には、前記第Ｋの画像の関連画像又は詳細画像である注視用画像を前記表示部に表示する制御を行ってもよい。
【００３９】
このようにすれば、第１〜第Nの画像のうちの第Kの画像をユーザが注視した場合に、その関連画像や詳細画像を注視用画像として表示することが可能になり、ユーザが興味等を持った画像の関連画像や詳細画像を表示できる。
【００４０】
また本発明では、前記ユーザ状態判断部は、ユーザと前記表示部の前記位置関係として、ユーザと前記表示部との間の距離を判断し、前記表示制御部は、前記注視用画像が表示されている時に、ユーザが前記表示部に近づいたと判断された場合には、前記注視用画像の詳細画像を表示する制御を行ってもよい。
【００４１】
このようにすれば、注視用画像が表示されている時にユーザが近づくと、その詳細画像を表示することが可能になり、より多くの情報を含んだ画像や精細な画像をユーザに提示できる。
【００４２】
また本発明では、前記表示制御部は、ユーザが前記表示部に近づいていないと判断された場合には、前記注視用画像として、第１〜第Ｍ（Ｍは２以上の整数）の注視用画像を前記表示部にスライド表示する制御を行い、前記第１〜第Ｍの注視用画像のうちの第Ｌ（１≦Ｌ≦Ｍ）の注視用画像が表示されている時にユーザが前記表示部に近づいたと判断された場合には、前記第Ｌの注視用画像の詳細画像を前記表示部に表示する制御を行ってもよい。
【００４３】
このようにすれば、ユーザが表示部に近づいていない場合には、第１〜第Ｍの注視用画像がスライド表示され、ユーザが表示部に近づくと、その時に表示されている第Ｌの注視用画像の詳細画像が表示されるようになる。
【００４４】
また本発明では、前記ユーザ検知センサは、ユーザを撮像する撮像センサであり、前記ユーザ状態判断部は、前記撮像センサからの撮像情報に基づいて、ユーザの顔領域を検出し、検出された前記顔領域を内包し前記顔領域よりもサイズが大きな計測領域を設定し、前記計測領域内に前記顔領域が存在する時間を計測し、計測された時間に基づいて、ユーザが前記表示部を注視しているか否かを判断してもよい。
【００４５】
このようにすれば、顔検出を有効活用してユーザの注視状態を検出できる。
【００４６】
また本発明では、ユーザが前記表示部を注視しているか否かに応じて、前記表示部の表示モードを切り替える表示モード切り替え部を含んでもよい。
【００４７】
このようにすれば、表示モードを切り替えるという簡素な処理で、ユーザの注視状態に応じた表示態様の変化を実現できる。
【００４８】
また本発明では、前記表示モード切り替え部は、前記表示モードが注視モードに切り替わった後、所定時間の間、前記注視モードが解除されるのをウェイトしてもよい。
【００４９】
このようにすれば、表示モードが注視モードに切り替わった後に直ぐに注視モードが解除されてしまい、表示モードが頻繁に切り替わってしまう事態等を、効果的に防止できる。
【００５０】
また本発明では、前記ユーザ状態判断部は、ユーザが前記検知範囲内に存在するか否かを判断し、前記表示制御部は、ユーザが前記検知範囲内に存在すると判断された場合に、前記表示部の表示をオンにする表示制御を行ってもよい。
【００５１】
このようにすれば、ユーザが検知範囲内に存在する場合に初めて表示部がオンになるため、省電力等を実現できる。
【００５２】
また本発明では、前記ユーザ状態判断部は、前記表示部の表示がオンになった後、ユーザの前記視認状態として、ユーザの視野範囲内に前記表示部が入っている状態か否かを判断し、前記表示制御部は、ユーザの視野範囲内に前記表示部を入っていると判断された場合には、第１〜第Ｎの画像を前記表示部にスライド表示する制御を行ってもよい。
【００５３】
このようにすれば、表示部がオンになった後、ユーザの視野範囲内に表示部が入った場合に、第１〜第Ｎの画像をスライド表示できるようになり、例えばユーザが登録した画像等のスライド表示が可能になる。
【００５４】
また本発明は、デジタルフォトフレームの表示部に表示される画像の表示指示を行う表示指示部と、ユーザ検知センサにより検知された検知情報を取得する検知情報取得部と、取得された前記検知情報に基づいて、ユーザと前記表示部との位置関係、前記表示部に対するユーザの視認状態、及びユーザが検知範囲内に存在するか否かの少なくとも１つを判断するユーザ状態判断部とを含み、前記表示指示部は、ユーザと前記表示部との前記位置関係、ユーザの前記視認状態、及びユーザが前記検知範囲内に存在するか否かの少なくとも１つに応じて、前記表示部に表示される画像の表示態様を変化させる表示指示を行う情報処理システムに関係する。
【００５５】
また本発明は、デジタフフォトフレームの制御方法であって、ユーザ検知センサにより検知された検知情報を取得し、取得された前記検知情報に基づいて、ユーザとデジタルフォトフレームの表示部との位置関係、前記表示部に対するユーザの視認状態、及びユーザが検知範囲内に存在するか否かの少なくとも１つを判断し、ユーザと前記表示部との前記位置関係、ユーザの前記視認状態、及びユーザが前記検知範囲内に存在するか否かの少なくとも１つに応じて、前記表示部に表示される画像の表示態様を変化させる表示制御を行う制御方法に関係する。
【発明を実施するための最良の形態】
【００５６】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００５７】
１．構成
図１（Ａ）に本実施形態のデジタルフォトフレーム３００（デジタルフォトプレーヤ、画像再生装置）の例を示す。図１（Ａ）は、いわゆるフォトスタンドタイプのデジタルフォトフレームの例である。このデジタルフォトフレーム３００は、家の中などの任意の場所にユーザにより設置される。そして、デジタルの画像データや音データなどのコンテンツ情報の再生処理（画像再生、音再生）を実行する。デジタルフォトフレーム３００は、例えばユーザの明示的な再生指示がなくても、画像等のコンテンツ情報（メディア情報）を自動的に再生することができる。例えば写真のスライドショーを自動的に実行したり、映像の自動再生を行う。
【００５８】
なお図１（Ａ）はフォトスタンドタイプのデジタルフォトフレームの例であるが、例えば図１（Ｂ）に示すように、壁掛けタイプのものであってもよい。この壁掛けタイプのデジタルフォトフレームとしては、例えば電気泳動型ディスプレイ等により実現される電子ペーパなどを用いることができる。また、デジタルフォトフレーム３００に、コンテンツ情報の再生指示ボタンなどを設けたり、リモコンを用いて再生指示ができるようにしてもよい。
【００５９】
デジタルフォトフレーム３００は、例えばＳＤカード等のメモリカードのインターフェースを備えることができる。或いは、無線ＬＡＮ、ブルートゥースなどの無線通信のインターフェースや、ＵＳＢ等の有線の通信インターフェースを備えることができる。例えばユーザが、メモリカードにコンテンツ情報を保存して、デジタルフォトフレーム３００のメモリカードインターフェースに装着すると、デジタルフォトフレーム３００は、メモリカードに保存されたコンテンツ情報の自動再生（スライドショー等）を実行する。或いは、デジタルフォトフレーム３００は、無線通信や有線通信によりに外部からコンテンツ情報を受信すると、このコンテンツ情報の再生処理（自動再生処理）を実行する。例えば、ユーザが所持するデジタルカメラや携帯電話機などの携帯型電子機器がブルートゥース等の無線機能を有する場合には、この無線機能を利用して、携帯型電子機器からデジタルフォトフレーム３００にコンテンツ情報を転送する。すると、デジタルフォトフレーム３００は、転送されたコンテンツ情報の再生処理を実行する。
【００６０】
図２にデジタルフォトフレーム３００の構成例を示す。このデジタルフォトフレーム３００は、処理部３０２、記憶部３２０、通信部３３８、表示部３４０、ユーザ検知センサ３５０、操作部３６０を含む。なおこれらの一部の構成要素（例えば通信部、操作部、ユーザ検知センサ）を省略したり、他の構成要素（例えばスピーカ）を追加するなどの種々の変形実施が可能である。
【００６１】
処理部３０２は、各種の制御処理や演算処理を行う。例えばデジタルフォトフレーム３００の各部の制御を行ったり全体的な制御を行う。この処理部３０２の機能は、各種プロセッサ（ＣＰＵ等）、ＡＳＩＣ（ゲートアレイ等）などのハードウェアや、情報記憶媒体３３０に記憶されたプログラムなどにより実現できる。
【００６２】
記憶部３２０は、処理部３０２、通信部３３８などのワーク領域となるものであり、その機能はＲＡＭなどのメモリやＨＤＤ（ハードディスクドライブ）などにより実現できる。この記憶部３２０は、画像や音などのコンテンツ情報を記憶するコンテンツ情報記憶部３２２、取得された検知情報を記憶する検知情報記憶部３２４、特定されたユーザ状態を記憶するユーザ状態記憶部３２６、表示モードの切り替えフラグを記憶する切り替えフラグ記憶部３２８、ユーザの注視回数情報を記憶する注視回数情報記憶部３２９を含む。
【００６３】
情報記憶媒体３３０（コンピュータにより読み取り可能な媒体）は、プログラムやデータなどを格納するものであり、その機能は、メモリカードや光ディスクなどにより実現できる。処理部３０２は、情報記憶媒体３３０に格納されるプログラム（データ）に基づいて本実施形態の種々の処理を行う。即ち情報記憶媒体３３０には、本実施形態の各部としてコンピュータ（操作部、処理部、記憶部、出力部を備える装置）を機能させるためのプログラム（各部の処理をコンピュータに実行させるためのプログラム）が記憶される。
【００６４】
通信部３３８（通信インターフェース）は、無線や有線の通信などにより外部デバイス（例えばサーバ、携帯型電子機器）との間で情報のやり取りを行うものであり、その機能は、通信用ＡＳＩＣ又は通信用プロセッサなどのハードウェアや、通信用ファームウェアにより実現できる。
【００６５】
表示部３４０は、コンテンツ情報である画像を表示するためのものであり、例えば液晶ディスプレイや、有機ＥＬなどの発光素子を用いたディスプレイや、電気泳動型ディスプレイなどにより実現できる。
【００６６】
ユーザ検知センサ３５０（人体検知センサ）は、ユーザ（ユーザ状態等）を検知するためのセンサであり、検知結果に基づいて検知情報を出力する。本実施形態では、このユーザ検知センサ３５０を、ユーザ（人物）と表示部３４０（表示画面、デジタルフォトフレーム）との位置関係や、表示部３４０に対するユーザの視認状態や、ユーザが検知範囲内に存在するか否かなどを判断するためのセンサとして用いる。
【００６７】
ユーザ検知センサ３５０としては、例えば焦電センサなどの人感センサを用いることができる。焦電センサは、人等が発生する赤外線を受光し、赤外線を熱に変換し、その熱を素子の焦電効果で電荷に変えるセンサである。この焦電センサを用いることで、検知範囲（検知エリア）にユーザ（人）が存在するか否かや、検知範囲に存在するユーザの動きなどを検知できる。
【００６８】
またユーザ検知センサ３５０としては、例えばＣＣＤやＣＭＯＳセンサなどの撮像センサを用いるとことができる。撮像センサ（イメージセンサ）は、１次元又は２次元の光学情報を、時系列の電気信号に変換する光センサである。この撮像センサを用いることで、検知範囲にユーザが存在するか否かや、検知範囲に存在するユーザの動きなどを検知できる。また撮像センサを用いた顔検出（顔画像認識）により、ユーザと表示部３４０との距離や表示部３４０に対するユーザの視線の角度などの位置関係を検出できる。或いは、ユーザの視野範囲内に表示部３４０が入っている状態か否かや、ユーザが表示部３４０を注視している状態か否かなどのユーザの視認状態を検出できる。或いはユーザが接近中なのか否かなども検出できる。
【００６９】
またユーザ検知センサ３５０としては、例えば超音波センサなどの距離センサを用いることができる。超音波距離センサは、超音波パルスを射出し、人等により反射した超音波パルスを受信することで、その時間から距離を測定するセンサである。
【００７０】
なおユーザ検知センサ３５０などのセンサは、センサデバイス自体であってもよいし、センサデバイスの他に制御部や通信部等を含むセンサ機器であってもよい。また検知情報は、センサから直接得られる１次情報であってもよいし、１次情報を加工処理（情報処理）することで得られる２次情報であってもよい。
【００７１】
またユーザ検知センサ３５０は、デジタルフォトフレーム３００に直接に取り付けてもよいし、ホームセンサなどをユーザ検知センサ３５０として利用してもよい。ユーザ検知センサ３５０をデジタルフォトフレーム３００に取り付ける場合には、図１（Ａ）に示すように、ユーザ検知センサ３５０をデジタルフォトフレーム３００の例えば枠の部分に取り付けることができる。或いは有線のケーブル等を用いてユーザ検知センサ３５０とデジタルフォトフレーム３００を接続する形態にしてもよい。
【００７２】
操作部３６０は、ユーザが各種情報を入力するためのものであり、例えば操作ボタンやリモコン装置などにより実現できる。ユーザは、この操作部３６０を用いて、ユーザ登録を行ったり、自身が所望する再生コンテンツ（お気に入り画像）の登録などを行うことができる。
【００７３】
処理部３０２は、検知情報取得部３０４、ユーザ状態判断部３０６、表示モード切り替え部３１６、表示制御部３１８を含む。なお、これらの一部の構成要素（例えばユーザ状態判断部、表示モード切り替え部）を省略したり、他の構成要素を追加するなどの種々の変形実施が可能である。
【００７４】
検知情報取得部３０４は、ユーザ検知センサ３５０により検知された検知情報を取得する処理を行う。例えばユーザ検知センサ３５０によりユーザの状態等が検知されて、検知情報（撮像情報）が出力されると、検知情報取得部３０４は、その検知情報を取り込む。そして取り込まれた検知情報は記憶部３２０の検知情報記憶部３２４に記憶される。なおユーザ検知センサ３５０として、ホームセンサ等の外部のセンサを用いる場合には、通信部３３８がその検知情報を受信し、検知情報取得部３０４は、受信した検知情報を取得することになる。
【００７５】
ユーザ状態判断部３０６は、検知情報取得部３０４により取得された検知情報に基づいてユーザ状態等を判断する。例えば、取得された検知情報に基づいて、ユーザ（人物）と表示部３４０との位置関係、表示部３４０に対するユーザの視認状態、及びユーザが検知範囲内に存在するか否かの少なくとも１つを判断する。そして、ユーザの位置関係や視認状態や存在の有無を表すユーザ状態の情報は、ユーザ状態記憶部３２６に記憶される。
【００７６】
ここで位置関係は、ユーザと表示部３４０との距離や、表示部３４０に対するユーザの視線方向などであり、ユーザと表示部３４０との位置関係は、位置関係判断部３０７が判断する。例えば、ユーザと表示部３４０との位置関係として、ユーザと表示部３４０との間の距離（距離情報、距離パラメータ）を判断する。
【００７７】
また視認状態は、ユーザの視野範囲の状態や注視状態などであり、具体的には、ユーザの視野範囲（ビューボリューム）に表示部３４０が入っているか否かや、ユーザが表示部３４０を注視しているか否かなどである。このユーザの視認状態は視認状態判断部３０８が判断する。例えばユーザの視認状態として、ユーザが表示部３４０を注視している状態か否かを判断する。また、ユーザが検知範囲内に存在するか否かはユーザ存在判断部３０９が判断する。
【００７８】
なおユーザ検知センサ３５０として、ユーザを撮像する撮像センサが設けられたとする。この場合には、ユーザ状態判断部３０６（位置関係判断部）は、撮像センサからの撮像情報に基づいて、ユーザの顔領域（矩形の枠領域）を検出する。そして検出された顔領域のサイズに基づいて、ユーザと表示部３４０との間の距離を判断（推定）する。またユーザ状態判断部３０６は、検出された顔領域を内包し顔領域よりもサイズが大きな計測領域を設定する。即ち顔領域にオーバーラップする計測領域を設定する。そして計測領域内に顔領域が存在する時間を計測し、計測された時間に基づいて、ユーザが表示部３４０を注視しているか否かを判断する。例えば計測領域内への存在時間が所定時間以上であった場合に、ユーザが注視していたと判断する。
【００７９】
或いは、ユーザ状態判断部は３０６は、後述するように、ユーザに対する自動焦点合わせ処理（オートフォーカス機能）により、ユーザと表示部３４０との間の距離を判断してもよい。例えばアクティブ方式を採用した場合には、デジタルフォトフレーム３００等に赤外線や超音波を射出するデバイスを設けると共に、ユーザ検知センサ３５０として赤外線や超音波の受光センサを設ける。そしてユーザからの反射光を受光センサにより検知することで、ユーザとの距離等を検出すればよい。またパッシブ方式を採用した場合には、ユーザ検知センサ３５０として撮像センサを設け、撮像画像に対して、位相差検出方式やコントラスト検出方式による画像処理を行うことで、ユーザとの距離等を検出すればよい。
【００８０】
表示モード切り替え部３１６は、表示モードの切り替え処理を行う。例えばユーザと表示部３４０との位置関係やユーザの視認状態などのユーザ状態に応じて表示モードを切り替える。具体的には表示モード切り替え部３１６は、ユーザと表示部３４０との間の距離に応じて、表示部の表示モードを切り替える。例えばユーザと表示部３４０との間の距離が近づいた場合（接近したと判断された場合）に、表示モードを、簡略表示モードから詳細表示モードに切り替える。またユーザが表示部３４０を注視しているか否かに応じて、表示部の表示モードを切り替える。
【００８１】
また表示モード切り替え部３１６は、表示モードが切り替わった後、切り替わった後の表示モードが解除されるのを、所定時間の間、ウェイトする処理を行う。例えば表示モードが簡略表示モードから詳細表示モードに切り替わった後、所定期間の間、詳細表示モードが解除されて他の表示モードに切り替わるのをウェイトする。或いは、表示モードが、通常表示モード等から注視モードに切り替わった後、所定時間の間、注視モードが解除されて他の表示モードに切り替わるのをウェイトする。
【００８２】
なお表示モードの切り替えは、切り替えフラグ記憶部３２８に記憶される切り替えフラグを用いて行われる。具体的には、ユーザ状態判断部３０６によりユーザ状態が判断されると、そのユーザ状態に応じて表示モードの切り替えフラグが設定され、設定された切り替えフラグが切り替えフラグ記憶部３２８に記憶される。
【００８３】
またコンテンツ情報記憶部３２２に記憶される画像には、タグが付与されている。具体的には、各画像には、詳細表示モード用タグ、簡略表示モード用タグ、注視モード用タグ、来客モード用タグ等の各種の表示モード用のタグや、コンテンツのジャンルのタグ等が付与されている。このように各画像に付与されているタグを用いることで、表示モードの切り替え時等において、各種の表示モードに対応する画像をコンテンツ情報記憶部３２２から読み出して、表示部３４０に表示できるようになる。
【００８４】
表示制御部３１８は、表示部３４０の表示制御を行う。例えばコンテンツ情報記憶部３２２に記憶されたコンテンツ情報に基づいて、表示部３４０に画像を表示するための制御を行う。具体的には、表示制御部３１８は、ユーザ状態により設定された表示モード切り替えフラグを、切り替えフラグ記憶部３２８から読み出す。そして読み出された切り替えフラグに関連づけられた画像、音等のコンテンツ情報をコンテンツ情報記憶部３２２から読み出す。そして読み出されたコンテンツ情報の画像を表示部３４０に表示するための制御（描画バッファへの書き込み処理等）を行う。
【００８５】
そして本実施形態では表示制御部３１８は、ユーザと表示部３４０との位置関係、ユーザの視認状態、及びユーザが検知範囲内に存在するか否かの少なくとも１つに応じて、表示部３４０に表示される画像の表示態様を変化させる表示制御を行う。
【００８６】
例えばユーザ状態判断部３０６が、ユーザと表示部３４０との位置関係として、ユーザと表示部３４０との間の距離を判断したとする。この場合には、表示制御部３１８は、ユーザと表示部３４０との間の距離に応じて、表示部３４０に表示される画像の表示態様を変化させる。例えば、ユーザと表示部３４０との間の距離が近いほど、表示部３４０に表示される画像の詳細度を高くしたり、表示部３４０に表示される画像の画面分割数を多くしたり、表示部３４０に表示される文字のサイズ（フォントサイズ）を小さくする。
【００８７】
なお、表示制御部３１８は、距離そのものに基づいて表示部３４０の画像の表示態様を変化させる必要はなく、距離と等価なパラメータ（例えば顔領域のサイズ等）に基づいて表示態様を変化させてもよい。また表示態様を変化させるとは、第１の表示態様の第１の画像を第２の表示態様の第２の画像に変化させることである。例えば第１の画像から、第１の画像の詳細画像である第２の画像に変化させたり、第１の画像の簡略画像である第２の画像に変化させたり、複数画面に分割された第２の画像に変化させる。
【００８８】
またユーザ状態判断部３０６が、ユーザの視認状態として、ユーザが表示部３４０を注視しているか否かを判断したとする。この場合には表示制御部３１８は、ユーザが表示部３４０を注視しているか否かに応じて、表示部３４０に表示される画像の表示態様を変化させる。具体的には、ユーザが第１の画像を注視していると判断された場合には、第１の画像に対応する注視用画像への切り替え制御を行う。例えばユーザが表示部３４０を注視していないと判断された場合には、第１の画像から第１の画像の関連画像又は詳細画像である注視用画像への切り替え制御を行わない。一方、注視していると判断された場合には、第１の画像から注視用画像への切り替え制御を行う。或いは、ユーザが注視していないと判断された場合には、第１〜第Ｎ（Ｎは２以上の整数）の画像を表示部３４０にスライド表示する（シーケンシャルに表示する）。例えばここでは、第１〜第Ｎの画像とは、それぞれ異なるジャンル又は異なるカテゴリの画像である。一方、第１〜第Ｎの画像のうちの第Ｋ（１≦Ｋ≦Ｎ）の画像が表示されている時にユーザが表示部３４０（第Ｋの画像）を注視していると判断された場合には、第Ｋの画像の関連画像又は詳細画像である注視用画像を表示部３４０に表示する。そして表示制御部３１８は、この注視用画像が表示されている時に、ユーザが表示部３４０に近づいたと判断された場合には、注視用画像の詳細画像を表示する。例えばユーザが表示部３４０に近づいていないと判断された場合には、注視用画像として、第１〜第Ｍ（Ｍは２以上の整数）の注視用画像を表示部３４０にスライド表示する。一方、第１〜第Ｍの注視用画像のうちの第Ｌ（１≦Ｌ≦Ｍ）の注視用画像が表示されている時にユーザが表示部３４０に近づいたと判断された場合には、その時に表示されている第Ｌの注視用画像の詳細画像を表示する。
【００８９】
なお関連画像は、第１の画像や第Ｋの画像の表示内容に関連する画像として予め対応づけられた画像である。また詳細画像は、第１の画像や第Ｋの画像の表示内容を更に詳細に表す画像として予め対応づけられた画像である。これらの関連画像や詳細画像は、例えばコンテンツ情報記憶部３２２において第１の画像や第Ｋの画像に予め対応づけられる。
【００９０】
また表示制御部３１８は、ユーザが表示部３４０を注視した注視回数情報（注視回数そのもの、或いは注視回数に応じて変化するパラメータ）に基づいて、表示部３４０に表示される画像の表示態様を変化させてよい。例えばユーザ状態判断部３０６が、ユーザの注視回数をカウントして、注視回数情報として注視回数情報記憶部３２９に記憶する。そして表示制御部３１８は、所定時間内での第１の画像に対するユーザの注視回数が所定回数以上である場合に、第１の画像に対応する注視用画像への切り替え制御を行う。例えばユーザの注視回数が所定回数よりも少ない場合には、第１の画像からの第１の画像の関連画像又は詳細画像である注視用画像への切り替え制御を行わない。一方、注視回数が所定回数以上である場合には、第１の画像から注視用画像への切り替え制御を行う。或いは、所定時間内での第１の画像に対する注視回数情報に基づいて、第１の画像又はその関連画像の表示頻度を変化させてもよい。例えば注視回数が所定回数以上である場合に表示頻度を高くする。
【００９１】
またユーザ状態判断部３０６が、ユーザがユーザ検知センサ３５０の検知範囲内に存在するか否かを判断したとする。例えば、より広範囲な検知が可能な焦電センサを用いてユーザの存在の有無が検知されたとする。すると、表示制御部３１８は、ユーザが検知範囲内に存在すると判断された場合に、表示部３４０の表示をオンにする。例えば液晶ディスプレイのバックライトをオンにして、表示部３４０の画像がユーザに可視可能になるようにする。なお表示制御部３１８は、ユーザが検知範囲内に存在しないと判断された場合には、表示部３４０の表示をオフにする。例えば通常モードから省電力モードに切り替えて、消費電力を節約する。
【００９２】
なお例えばユーザ状態判断部３０６が、表示部３４０の表示がオンになった後、ユーザの視認状態として、ユーザの視野範囲内に表示部３４０が入っている状態か否かを判断したとする。すると、表示制御部３１８は、ユーザの視野範囲内に表示部３４０を入っていると判断された場合には、第１〜第Ｎの画像を表示部３４０にスライド表示する。ここで第１〜第Ｎの画像は、例えばその表示内容のテーマが互いに異なる画像である。
【００９３】
２．位置関係に応じた表示態様の変化
本実施形態では、ユーザと表示部３４０との位置関係に応じて表示画像の表示態様を変化させている。
【００９４】
例えば図３（Ａ）、図３（Ｂ）では、ユーザと表示部３４０（デジタルフォトフレーム）との間の距離（広義には位置関係）に応じて表示画像の詳細度を変化させている。具体的には図３（Ａ）では、ユーザと表示部３４０との間の距離が遠くなっており、所定距離以上になっている。この場合には、例えば天気予報の画像として、簡略画像（通常画像）が表示される。即ち、大きなサイズ（フォント）の文字や、大きなサイズのアイコンを用いて、天気予報の画像が表示される。なお、距離の検知はユーザ検知センサ３５０を用いて実現される。
【００９５】
一方、図３（Ｂ）では、ユーザと表示部３４０との間の距離が近くなっており、所定距離よりも小さくなっている。即ちユーザが表示部３４０の表示内容に興味を持って近づいている。この場合には、天気予報の画像として、詳細画像が表示される。即ち図３（Ａ）に比べて図３（Ｂ）では、小さなサイズの文字等を用いて、詳細な天気予報を知らせる画像が表示される。
【００９６】
例えば図３（Ａ）では、遠くにいるユーザに対して見やすい天気予報を知らせるために、天気予報がアイコン化された簡略画像が表示される。即ち図２の切り替えフラグ記憶部３２８の表示モードの切り替えフラグが、簡略表示モードに設定されて、簡略画像が表示される。一方、図３（Ｂ）では、今日の天気に関心を持って近づいたと思われるユーザに対して、時間毎の詳しい天気予報を知らせる詳細画像が表示される。即ち切り替えフラグ記憶部３２８の表示モードの切り替えフラグが、詳細表示モードに切り替えられて、詳細画像が表示される。
【００９７】
以上のようにユーザと表示部３４０との距離に応じて表示画像の詳細度を変化させることで、ユーザとの距離に応じた適切な画像表示を実現できる。なお図３（Ａ）、図３（Ｂ）では、ユーザとの距離に応じて表示画像の詳細度を２段階で変化させているが、詳細度の変化は３段階以上であってもよい。
【００９８】
図４（Ａ）、図４（Ｂ）では、ユーザと表示部３４０との間の距離（位置関係）に応じて表示画像の画面分割数を変化させている。具体的には図４（Ａ）では、ユーザと表示部３４０との間の距離が遠くなっており、所定距離以上になっている。この場合には、画面分割数が例えば１である画像（画面分割されていない画像）が表示される。
【００９９】
一方、図４（Ｂ）では、ユーザと表示部３４０との間の距離が近くなっており、所定距離よりも小さくなっている。この場合には、画面分割数が例えば４である画像が表示される。即ち図４（Ａ）に比べて図４（Ｂ）では、画面分割数が多い画像が表示される。また図４（Ａ）では、天気情報の画像が表示されているが、図４（Ｂ）では、第１、第２、第３、第４の分割画面に、各々、天気情報、株価情報、交通情報、カレンダ情報の画像が表示されている。また図４（Ｂ）では、図４（Ａ）に比べて、天気情報等について詳細な内容を知らせる画像が表示されると共に、文字のサイズも小さくなっている。
【０１００】
例えば図４（Ａ）では、遠くにいるユーザに対して見やすいように、表示部３４０の全画面を用いて天気予報の画像が表示される。即ち切り替えフラグ記憶部３２８の表示モードの切り替えフラグが、１画面モードに設定されて、画面分割数が１である画像が表示される。一方、図４（Ｂ）では、ユーザが近づいたため、表示部３４０の画面を分割して、天気予報の画像のみならず、株価情報、交通情報、カレンダの画像も表示される。即ち切り替えフラグ記憶部３２８の表示モードの切り替えフラグが、４画面モードに切り替えられて、画面分割数が４である画像が表示される。
【０１０１】
以上のようにユーザと表示部３４０との距離に応じて表示画像の画面分割数を変化させることで、ユーザとの距離に応じた適切な画像表示を実現できる。なお図４（Ａ）、図４（Ｂ）では、画面分割数を２段階で切り替えているが、画面分割数の切り替えは３段階以上であってもよい。また画面の分割数も任意である。
【０１０２】
また、ユーザとの距離に応じて表示態様を切り替える場合、この距離は、ユーザと表示部３４０との直線距離であってもよいし、奥行き方向での距離（Ｚ方向の距離）であってもよい。またこの場合の距離は、距離と数学的な等価なパラメータ（例えば後述する顔領域の面積等）も含み、例えば距離の変化に応じて変化するパラメータであればよい。
【０１０３】
またユーザとの位置関係は、距離に限定されず、例えばユーザの視線方向と表示部３４０の表示画面とのなす角度などであってもよい。
【０１０４】
また図３（Ａ）〜図４（Ｂ）では、表示態様の変化として、詳細度や画面分割数や文字サイズを変化させる場合について例示したが、本実施形態の表示態様の変化はこれに限定されない。例えばユーザとの位置関係に応じて関連画像を表示したり、表示部３４０の表示をオン・オフすることで、表示態様を変化させてもよい。
【０１０５】
次に図５（Ａ）、図５（Ｂ）を用いて、ユーザと表示部３４０の間の距離（位置関係）の検出手法の一例について説明する。図５（Ａ）、図５（Ｂ）では、ユーザ検知センサ３５０として、ＣＣＤ、ＣＭＯＳセンサなどの撮像センサ（カメラ）を用いる。そして撮像センサからの撮像情報に基づいて、矩形の枠領域である顔領域ＦＡＲを検出し、検出された顔領域ＦＡＲのサイズを求める。そして求められたサイズに基づいて、ユーザと表示部３４０との間の距離を判断する。
【０１０６】
例えば図５（Ａ）では、顔領域ＦＡＲのサイズが小さいため（所定サイズ以下であるため）、ユーザとの距離は遠いと判断される。従って、この場合には図３（Ａ）、図４（Ａ）に示すような画像を表示部３４０に表示する。一方、図５（Ｂ）では、顔領域ＦＡＲのサイズが大きいため（所定サイズよりも大きいため）、ユーザとの距離は近いと判断される。従って、この場合には図３（Ｂ）、図４（Ｂ）に示すような画像を表示部３４０に表示する。
【０１０７】
ここで顔領域の検出手法としては種々の手法が考えられる。例えば、顔検出を行うためには、撮像センサで撮影された撮像画像において、顔がある場所と他の物体とを区別して、顔領域を切り出す必要がある。顔は、目、鼻、口等から構成され、これらの形状・位置関係は個人差はあるものの、ほぼ共通した特徴を有する。そこで、この共通な特徴を用いて、顔を他の物体から識別して画面の中から切り出す。このための手がかりとしては、肌の色、顔の動き、形、大きさ等がある。肌の色を用いる場合には、ＲＧＢデータを色相・輝度・彩度からなるＨＳＶデータに変換し、人の肌の色相を抽出する手法を採用する。
【０１０８】
或いは、多数の人の顔パターンから生成した平均顔パターンを顔テンプレートとして作成してもよい。そして、この顔テンプレートを撮像画像の画面上で走査して、撮像画像との相関を求め、最も相関値が高い領域を顔領域として検出する。
【０１０９】
なお検出精度を高めるため、複数の顔テンプレートを辞書データとして用意し、これらの複数の顔テンプレートを用いて顔領域を検出してもよい。或いは目、鼻、口の特徴や、これらの位置関係や、顔の中のコントラストなどの情報も考慮して、顔領域を検出してもよい。或いは、ニューラルネットワークモデルを用いた統計的なパターン認識により顔領域を検出することも可能である。
【０１１０】
図５（Ａ）、図５（Ｂ）の検出手法によれば、顔領域ＦＡＲのサイズによりユーザと表示部３４０の距離を検出できるのみならず、ユーザが表示部３４０を見ているか否かも同時に検出できるという利点がある。即ち、ユーザの視線が表示部３４０の方に向いていなかった場合には、顔テンプレートとの相関値が低くなるため、顔領域ＦＡＲは非検出になる。従って、顔領域ＦＡＲが検出されたということは、ユーザの視線が表示部３４０の方に向いており、ユーザの視野範囲内に表示部３４０が入っていることと等価になる。そして、この状態で、顔領域ＦＡＲのサイズを検出して、図３（Ａ）〜図４（Ｂ）に示すように画像の表示態様を変化させれば、表示部３４０の画像を見ているユーザに対して、距離に応じた適正な画像を表示できるようになる。これにより、これまでにないデジタルフォトフレーム３００を提供できる。
【０１１１】
なおユーザの検知手法は、図５（Ａ）、図５（Ｂ）の手法に限定されない。例えば一般的なカメラや携帯電話機のカメラ等に実装されているオートフォーカス機能を有効活用してユーザを検知してもよい。このオートフォーカス機能を用いれば、デジタルフォトフレーム３００の前にユーザ（人物）が存在するか否かや、そのユーザと表示部３４０との距離などの位置関係を判断できる。
【０１１２】
例えば部屋の中に誰も居ない状態では、オートフォーカスの焦点はほとんど固定されるが、デジタルフォトフレーム３００の表示部３４０の前をユーザが横切った場合等には、オートフォーカス機能が働き、これによりユーザが存在するか否かを判断できる。またデジタルフォトフレーム３００の表示部３４０をユーザが見ている場合には、そのユーザに反応してオートフォーカスが作動して、焦点をそのユーザに自動的に合わせるため、ユーザと表示部３４０とのだいたいの距離を検出できる。
【０１１３】
なおオートフォーカスの方式としては、アクティブ方式やパッシブ方式がある。アクティブ方式では、赤外線や超音波などを射出して、ユーザ等の被写体との距離を測定する。即ち反射波が戻ってくるまでの時間等を測定することで、被写体との距離を測定する。このアクティブ方式によれば、暗い場所でも焦点を簡単に合わせることができるという利点がある。
【０１１４】
一方、パッシブ方式では、被写体の輝度情報をＣＣＤセンサ等の撮像センサで受光して、電気処理により被写体との距離（焦点位置）を検出する。即ち撮影された画像を用いて距離を測定する。このパッシブ方式には、輝度信号の横ずれを検出する位相差検出方式や、輝度信号のコントラストを検出するコントラスト検出方式などがある。
【０１１５】
３．視認状態に応じた表示態様の変化
本実施形態では、ユーザの視認状態に応じて表示画像の表示態様を変化させている。具体的には、ユーザが表示部３４０を注視しているか否かや、ユーザの視野範囲内に表示部３４０が入っているか否かなどに応じて表示態様を変化させる。
【０１１６】
例えば図６（Ａ）、図６（Ｂ）では、ユーザが表示部３４０を注視しているか否かに応じて、表示画像の表示態様を変化させている。具体的には図６（Ａ）では、ユーザの視線方向は表示部３４０の方向に向いておらず、表示部３４０を注視していない。この場合には、例えば天気予報の画像として、通常画像（第１の画像）が表示される。なお、ユーザが注視しているか否かはユーザ検知センサ３５０を用いて検出できる。
【０１１７】
一方、図６（Ｂ）では、ユーザが表示部３４０を注視している。例えば表示部３４０がユーザの視野範囲内に一定時間以上入っている。この場合には、図６（Ａ）の画像の関連画像（第１の画像の関連画像である注視用画像）が表示される。即ち図６（Ａ）では天気予報の画像が表示されているが、図６（Ｂ）では、天気予報に関連する画像として、花粉情報を知らせる画像が表示される。
【０１１８】
例えば図６（Ａ）の状態から図６（Ｂ）のようにユーザが表示部３４０を一定時間注視する状態になった場合に、図６（Ａ）の画像を表示し続けると、表示画像が単調になってしまい、変化に乏しい。
【０１１９】
この点、図６（Ｂ）では、ユーザが一定時間注視していることを条件に、図６（Ａ）の関連画像である花粉情報の画像を表示している。このようにすれば、ユーザが注視したことで、画像の表示態様が変化し、変化に富んだ画像をユーザに表示できるようになる。またユーザに対して様々な情報を効率的に提供できる。
【０１２０】
また図７（Ａ）、図７（Ｂ）では、ユーザが注視していることを条件に、簡略画像から詳細画像に表示画像を切り替えている。具体的には図７（Ａ）では、ユーザが表示部３４０を注視していないため、株情報の画像として、簡略画像（第１の画像）を表示している。即ち、平均的な株価や為替の動きを簡略的に表示している。
【０１２１】
一方、図７（Ｂ）では、ユーザが表示部３４０を一定時間注視していると判断されたため、詳細画像（第１の画像の詳細画像である注視用画像）に切り替えている。具体的には、個別銘柄の株価の変化を知らせる詳細画像が表示される。こうすることで、ユーザは、表示部３４０を注視することで、株価の動きの詳細を知ることが可能になる。なお、複数の銘柄のうちのどの銘柄を表示するのかを（複数の表示項目のうちのどの表示項目を表示するのかを）、操作部３６０等を用いてユーザが予め登録できるようにしてもよい。このようにすれば、株情報の簡略画像が表示されている時にユーザが表示部３４０を注視することで、ユーザがお気に入りとして登録された銘柄の株価の詳細を知らせる画像が表示されるようになり、ユーザの利便性を向上できる。
【０１２２】
なお、ユーザの注視状態（広義には視認状態）に基づく表示態様の変化は、図６（Ａ）〜図７（Ｂ）に限定されず、文字のサイズを変化させたり、画面分割数を変化させるなどの種々の変形実施が可能である。
【０１２３】
例えば図８（Ａ）では、第１、第２、第３、第４の分割画面に、各々、天気情報、株価情報、交通情報、カレンダ情報の画像が表示されている。この状態で、例えば天気情報が表示される第１の分割画面をユーザが注視していることが検出されると、図８（Ｂ）に示すように、天気情報が選択されてその画像が表示される。このようにすれば、ユーザが分割画面のいずれかを注視することで、その分割画面を選択できるようになる。なお、例えばユーザが図８（Ｂ）の画像を更に一定時間注視すると、天気情報の詳細を知らせる詳細画像を表示したり、天気の関連情報を知らせる関連画像を表示するようにしてもよい。
【０１２４】
以上の本実施形態の手法によれば、ユーザの注視等の視認状態が検出されると、それに応じて表示画像の表示態様が変化する。従って、ユーザに提供する表示画像のバラエティを増すと共に効率的な情報伝達が可能になり、これまでにないタイプのデジタルフォトフレームの提供が可能になる。
【０１２５】
次に図９（Ａ）を用いて、ユーザの注視状態の検出手法の一例について説明する。図９（Ａ）では、ユーザ検知センサ３５０として撮像センサを用いる。そして図５（Ａ）、図５（Ｂ）で説明したように、撮像センサからの撮像情報に基づいて、ユーザの顔領域ＦＡＲを検出する。
【０１２６】
次に検出された顔領域ＦＡＲに対応する計測領域ＳＡＲを設定する。この計測領域ＳＡＲは、顔領域ＦＡＲを内包し、顔領域ＦＡＲよりもサイズが大きな領域である。この計測領域ＳＡＲは、例えば顔領域ＦＡＲをオーバーサイジングすることで設定できる。そして、この計測領域ＳＡＲ内に顔領域ＦＡＲが存在する時間を計測し、計測された時間に基づいて、ユーザが表示部３４０を注視しているか否かを判断する。例えば顔領域ＦＡＲが計測領域ＳＡＲ内に一定時間以上位置していた場合には、ユーザが表示部３４０を注視していると判断する。そして図６（Ａ）〜図８（Ｂ）に示すように表示画像の表示態様を変化させる。
【０１２７】
図９（Ａ）の検出手法によれば、図５（Ａ）、図５（Ｂ）の手法によるユーザとの距離の検出と、注視状態の検出の両方を、撮像センサを用いて実現できるようになる。これにより、センサの部品点数を減らしたり、効率的な処理が可能になる。
【０１２８】
なお注視状態の検出手法は図９（Ａ）の手法に限定されない。例えば図９（Ｂ）では、赤外光を照射し、ユーザの赤目を検出することで注視状態を検出している。具体的には赤外線デバイス３５４により照射された赤外線は、ハーフミラー３５３により反射されてユーザの目に到達する。そしてユーザの赤目状態を、撮像センサが設けられたカメラ３５２により撮影して検出することで、ユーザの目の瞳孔の位置を検出して、ユーザの視線方向を検出し、ユーザが注視状態か否かを判断する。また図９（Ｃ）では、２台のカメラ３５６、３５７（ステレオカメラ）で撮影されたユーザの顔画像の目周辺の画像領域の明暗から、瞳孔の位置を検出する。そして、検出された瞳孔の中心位置と眼球の中心位置から、ユーザの視線方向を検出し、ユーザが注視状態か否かを判断する。このようにユーザの注視状態の検出手法としては種々の手法を採用できる。
【０１２９】
また以上では、ユーザとの距離やユーザの注視状態を検出して表示画像の表示態様を変化させる場合について説明したが、本実施形態はこれに限定されない。例えば検知範囲内でのユーザの接近の度合いを検出して、表示画像の表示態様を変化させてもよい。例えば図５（Ａ）の顔領域ＦＡＲのサイズの時間に対する変化率を求める。そしてサイズの変化率が一定値以上である場合には、ユーザの接近の度合いが高いと判断して、図３（Ａ）〜図４（Ｂ）、図６（Ａ）〜図８（Ｂ）と同様の手法で表示画像の表示態様を変化させる。こうすることで、デジタルフォトフレームに興味を持って近づいてきたユーザに対して、様々な画像を表示できるようになる。
【０１３０】
またユーザが検知範囲内に存在したか否かをユーザ検知センサ３５０により検知し、ユーザが存在すると判断された場合に、表示部３４０の表示をオフからオンに切り替えてもよい。例えば省電力モードから通常モードに切り替えて、表示部３４０に画像を表示する。また表示部３４０の表示がオンの状態で、ユーザが検知範囲内から出て、ユーザが存在しないと判断された場合には、表示部３４０の表示をオンからオフに切り替える。このようにすれば、ユーザが近くにいない時にデジタルフォトフレームに画像が表示されて、無駄に電力が消費されてしまう事態を防止できる。
【０１３１】
またユーザが表示部３４０を注視していることを検知した場合に、１回の注視が検知されたことを条件に、表示モードを切り替えてもよいし、複数回の注視が検知されたことを条件に、表示モードを切り替えてもよい。例えばユーザが表示部３４０を注視した回数に基づいて、表示画像の表示態様を変化させる。
【０１３２】
具体的には、所定時間内にユーザが表示部３４０を注視した回数である注視回数をカウントして記録する。そして、所定時間内での注視回数が、しきい値となる所定回数（例えば２〜５回）を超えるまでは、表示モードを切り替えずに、元の画像（第１の画像）を表示したままの状態にする。一方、所定時間内での注視回数が所定回数を超えると、表示モードを例えば注視モード等に切り替える。そして、元の画像の関連画像を表示したり、元の画像の詳細画像を表示する。或いは、注視回数が多かった場合には、その画像の詳細画像や関連画像の表示頻度等を上昇させる。例えば、あるコンテンツの画像の表示中に、ユーザが、３０秒（所定時間）の間に２回（所定回数）以上、注視したことが検出されると、そのコンテンツの詳細コンテンツや関連コンテンツの画像を表示する。或いは、あるコンテンツの画像を、１日（所定時間）に５回（所定回数）以上、ユーザが注視したことが検出されると、そのコンテンツの関連コンテンツの画像の表示頻度を上昇させる。例えば、前の日における第１の画像（例えばプロ野球の試合結果の画像）の注視回数が所定回数以上である場合には、次の日における第１の画像又はその関連画像（例えばプロ野球又は大リーグの試合結果の画像）の表示頻度を高くする。
【０１３３】
また本実施形態のように表示モードの切り替えを行う場合に、ユーザの存在が検知されなくなったり、ユーザの視認状態が検知されなくなったとたんに、表示モードが切り替わって、元の表示モードに戻ってしまうと、ユーザの利便性を損ねるおそれがある。例えばユーザの顔が検知されたり、ユーザの注視が検知されて、表示モードが詳細表示モードや注視モードに切り替わった場合に、ユーザが一瞬だけよそ見をしたとたんに、その詳細表示モードや注視モードが解除されて、元の表示モードに戻ってしまうと、表示のスムーズさが損なわれてしまい、使いにくいデジタルフォトフレームになってしまう。
【０１３４】
このような事態を防止するために、切り替わった後の表示モードを解除する場合には、一定時間（例えば３０秒）は、ウェイトして、その表示モードを維持し続けるようにする。具体的には、簡略表示モードから詳細表示モードに切り替わった場合に、所定時間の間、その詳細表示モードの解除をウェイトし、詳細表示モードの表示を維持し続ける。或いは、表示モードが注視モードに切り替わった場合に、所定時間の間、その注視モードの解除をウェイトする。そして所定時間が経過した後も、ユーザの存在を検知できなかった場合やユーザの注視状態を検知できなかった場合には、詳細表示モードから簡略表示モードに戻したり、注視モードから通常表示モードに戻す。このようにすれば、表示モードが不用意に頻繁に切り替わって、ユーザにとって見づらいが表示画像になってしまう事態を効果的に防止できる。
【０１３５】
４．表示態様の切り替え手法の具体例
次に本実施形態の表示態様の切り替え手法の具体例について、図１０を用いて説明する。
【０１３６】
図１０に示すように、ユーザが表示部３４０を注視していないと判断されて、注視モードがオフに設定された場合には、画像ＩＭ１〜ＩＭ５（広義には第１〜第Ｎの画像）のスライド表示が行われる。即ち、画像ＩＭ１〜ＩＭ５の各画像が所定時間毎にシーケンシャルに表示される。ここで画像ＩＭ１〜ＩＭ５は、そのコンテンツ内容（テーマ）が異なっている。具体的には、画像ＩＭ１、ＩＭ２、ＩＭ３、ＩＭ４、ＩＭ５は、各々、ニュース、天気、株価、風景の写真、動物の写真を表すコンテンツとなっている。
【０１３７】
このように画像ＩＭ１〜ＩＭ５がスライド表示され、例えば画像ＩＭ２（広義には第Ｋの画像）が表示されている時にユーザが表示部３４０を注視したとする。この場合には、注視モードがオフからオンに切り替わって、画像ＩＭ２の関連画像（或いは詳細画像）である注視用画像ＩＭ２１Ａ、ＩＭ２２Ａ、ＩＭ２３Ａが表示部３４０に表示される。例えば天気の画像ＩＭ２が表示されている時にユーザがこの画像を注視すると、降水確率や花粉情報などを知らせる関連画像が表示される。
【０１３８】
そして、例えばこのような注視用画像ＩＭ２１Ａ〜ＩＭ２３Ａ（広義には第１〜第Ｍの注視用画像）が表示（スライド表示）されている時に、ユーザが表示部３４０に近づくと、注視用画像ＩＭ２１Ａ、ＩＭ２２Ａ、ＩＭ２３Ａの詳細画像（広義には第Ｌの注視用画像の詳細画像）であるＩＭ２１Ｂ、ＩＭ２２Ｂ、ＩＭ２３Ｂが表示される。即ち、ユーザと表示部３４０との距離が所定距離よりも近くなると、表示モードが簡略表示モードから詳細表示モードに切り替わって、詳細画像が表示される。例えば画像ＩＭ２１Ｂでは時間毎の天気の詳細が表示され、画像ＩＭ２２Ｂでは時間毎の降水確率の詳細が表示され、画像ＩＭ２３Ｂでは花粉情報の詳細が表示される。ユーザが、画像ＩＭ１、ＩＭ３、ＩＭ４、ＩＭ５が表示されている時にこれらの各画像を注視した場合にも、上記と同様に表示モードが切り替わり、表示画像の表示態様が変化する。
【０１３９】
図１０の表示態様の切り替え手法によれば、画像ＩＭ１〜ＩＭ５がスライド表示されている時に、ユーザが興味を持つ画像を注視すると、その画像の関連画像や詳細画像が表示される。従って、ユーザの興味に応じた画像を効率的に表示できると共に、ユーザの注視やユーザの接近に応じて画像の表示態様を多様に変化させることが可能になり、これまでにないタイプのデジタルフォトフレームを提供できる。
【０１４０】
なお図１１に図１０の手法の実現に使用される画像のデータ構造例を示す。例えば図１１では、注視モードオフのフラグに対して画像ＩＭ１〜ＩＭ５が対応づけられている。これにより、ユーザが注視していない時に画像ＩＭ１〜ＩＭ５が表示されるようになる。また注視モードオフ及び簡略表示モードオンのフラグに対して、画像ＩＭ１１Ａ〜ＩＭ５３Ａが対応づけられ、注視モードオフ及び詳細表示モードオンのフラグに対して、画像ＩＭ１１Ｂ〜ＩＭ５３Ｂが対応づけられている。更に画像ＩＭ１には画像ＩＭ１１Ａ〜ＩＭ１３Ｂ、ＩＭ２にはＩＭ２１Ａ〜ＩＭ２３Ｂ、ＩＭ３にはＩＭ３１Ａ〜ＩＭ３３Ｂ、ＩＭ４にはＩＭ４１Ａ〜ＩＭ４３Ｂ、ＩＭ５にはＩＭ５１Ａ〜ＩＭ５３Ｂが対応づけられている。このようなデータ構造にすることで、図１０に示すように、画像ＩＭ２が注視された時には、画像ＩＭ２１Ａ〜ＩＭ２３Ａを表示し、この状態でユーザが表示部３４０に近づいた時には画像ＩＭ２１Ｂ〜ＩＭ２３Ｂを表示できるようになる。
【０１４１】
５．詳細な処理例
次に本実施形態の詳細な処理例について図１２のフローチャートを用いて説明する。
【０１４２】
まずユーザ検知センサである焦電センサを用いて、検知範囲内にユーザ（人物）が存在するか否かを判断する（ステップＳ１）。即ち、デジタルフォトフレームの周辺にユーザが存在するか否かを広範囲に大雑把に検知するために、焦電センサを使用する。このようにユーザ検知センサとして、焦電センサと撮像センサを使い分けることで、ユーザ状態の効率的な検出が可能になる。
【０１４３】
そして、ユーザが存在しないと判断された場合には（ステップＳ２）、表示部の表示をオフにして省電力モードに設定する（ステップＳ３）。一方、ユーザが存在すると判断された場合には、表示部の表示をオンにして、壁紙・時計・カレンダ等の背景画像を表示する（ステップＳ４）。このようにすることで、デジタルフォトフレームの近くにユーザがいないのに、表示部に画像が表示されて電力が無駄に消費されてしまう事態を防止できる。
【０１４４】
次に、ユーザ検知センサである撮像センサ（カメラ）を用いた顔検出により、ユーザの視野範囲内に表示部が入っているか否かを判断する（ステップＳ５）。そして視野範囲内に入っていると判断された場合には（ステップＳ６）、ユーザと表示部（表示画面）との距離を、顔領域（枠領域）のサイズから判断する（ステップＳ７）。例えば図５（Ａ）、図５（Ｂ）に示すように顔領域が検出された場合には、ユーザの視野範囲内に表示部が入っていると判断される。そして顔領域のサイズを検出して、ユーザと表示部との距離を判断（推定）する。
【０１４５】
ユーザと表示部との距離が所定距離以内であると判断された場合には（ステップＳ８）、詳細表示モードをオンにする（ステップＳ９）。一方、所定距離以内ではないと判断された場合には、簡略表示モードをオンにする（ステップＳ１０）。これにより、図３（Ａ）、図３（Ｂ）で説明したように、距離に応じた簡略画像と詳細画像の切り替えが可能になる。
【０１４６】
次に撮像センサを用いた注視検出により、ユーザが表示部を注視しているか否かを判断する（ステップＳ１１）。そして注視していると判断された場合には（ステップＳ１２）、注視モードをオンにする（ステップＳ１３）。一方、注視していないと判断された場合には、注視モードをオフにする（ステップＳ１４）。これにより、図６（Ａ）、図６（Ｂ）で説明したように、ユーザが注視したか否かに応じた表示態様の切り替えを実現できる。
【０１４７】
次に、図３を用いて、図９（Ａ）で説明した注視状態の検出処理の詳細について説明する。
【０１４８】
まず、撮像センサ（カメラ）を用いた顔検出により、顔領域（枠領域）を検出する（ステップＳ２１）。即ち図５（Ａ）、図５（Ｂ）で説明した手法により顔領域を検出する。次に、検出された顔領域を内包し、顔領域よりもサイズが大きな計測領域を設定する（ステップＳ２２）。即ち図９（Ａ）に示すように、顔領域をオーバーサイジングした計測領域を設定する。そして計測領域内に顔領域が存在する時間をタイマを用いて計測する（ステップＳ２３）。即ち計測領域の設定後、タイマの計測を開始し、顔領域が計測領域内に位置する時間を計測する。そして所定時間以上、経過したか否かを判断し（ステップＳ２４）、経過した場合には注視モードをオンにする（ステップＳ２５）。一方、経過しなかった場合には、注視モードをオフのままにする（ステップＳ２６）。このようにすることでユーザの注視状態の検出と、それに応じた注視モードの設定が可能になる。
【０１４９】
６．変形例
次に本実施形態の変形例について説明する。図１４に本実施形態の第１の変形例を示す。この第１の変形例のシステムでは、ホームサーバ２００（広義には情報処理システム）が設けられている。このホームサーバ２００は、処理部２０２、記憶部２２０、通信部２３８、操作部２６０を含む。なおこれらの一部の構成要素を省略したり、他の構成要素を追加するなどの種々の変形実施が可能である。なお、図２と同様の構成要素については、同様の符号を付してその説明を省略する。
【０１５０】
処理部２０２は、管理処理などの各種の処理を行うものであり、ＣＰＵ等のプロセッサやＡＳＩＣなどにより実現できる。記憶部２２０は、処理部２０２や通信部２３８のワーク領域となるものであり、例えばＲＡＭやＨＤＤ等により実現できる。通信部２３８は、デジタルフォトフレーム３００や外部サーバ６００と有線又は無線で通信を行うためのものであり、通信用ＡＳＩＣ又は通信用プロセッサなどにより実現できる。操作部２６０は、サーバの管理者が各種情報を入力するためのものである。
【０１５１】
図１４では、デジタルフォトフレーム３００とホームサーバ２００は、例えば無線ＬＡＮ等のネットワークで通信接続される。また図１４では、ユーザ検知センサ２５０として、家の各場所に設置されるホームセンサが用いられる。そして、ホームサーバ２００の検知情報取得部２０４が、ホームセンサであるユーザ検知センサ２５０からの検知情報を取得し、取得された検知情報は検知情報記憶部２２４に記憶される。
【０１５２】
またホームサーバ２００で取得された検知情報は、転送部２０５により、通信部２３８、３３８を介して、デジタルフォトフレーム３００に転送される。すると、デジタルフォトフレーム３００の検知情報取得部３０４は、転送された検知情報を取得し、取得された検知情報は検知情報記憶部３２４に記憶される。そしてユーザ状況判断部３０６は、この検知情報に基づいてユーザ状態を判断し、表示モード切り替え部３１６は、ユーザ状態に応じて表示モードを切り替える。例えばユーザとの位置関係や視認状態などに応じて、表示モードを切り替える。そして表示制御部３１８は、表示モードに応じた画像を表示部３４０に表示する制御を行う。例えば簡略表示モード、詳細表示モード、注視モードの各々がオンである場合には、それに応じて簡略画像、詳細画像、注視用画像（関連画像）を表示する。なお、これらの画像等のコンテンツ情報は、ホームサーバ２００のコンテンツ情報記憶部２２２からデジタルフォトフレーム３００のコンテンツ情報記憶部３２２にダウンロードされる。或いは外部サーバ６００のコンテンツ情報記憶部６２２からダウンロードしてもよい。またデジタルフォトフレーム３００の処理部３０２を実現するためのプログラムも、外部サーバ６００やホームサーバ２００から、デジタルフォトフレーム３００にダウンロードするようにしてもよい。
【０１５３】
図１５に、ユーザ検知センサ２５０であるホームセンサの設置例を示す。図１５では、ホームセンサとして、撮像センサを有するカメラ２５１、２５２、２５３、２５４が、例えば部屋の天井の四隅に設置されている。そして、これらのカメラ２５１〜２５４を用いてユーザ１０やデジタルフォトフレーム３００を撮影することで、ユーザ１０とデジタルフォトフレーム３００の表示部３４０との位置関係や、表示部３４０に対するユーザ１０の視認状態や、ユーザ１０が検知範囲である部屋内に存在するか否かなどを判断するための検知情報が取得される。そして取得された検知情報が、ホームサーバ２００からデジタルフォトフレーム３００に転送され、デジタルフォトフレーム３００が、検知情報に基づいてユーザ状態を判断して、ユーザ状態に応じた画像を表示部３４０に表示する。なお、ホームセンサは、カメラ２５１〜２５４の撮像センサに限定されず、焦電センサや超音波センサなどの種々のセンサを用いることができる。
【０１５４】
図１４の第１の変形例を用いれば、例えばホームセキュリティ等のために設けられたホームセンサを有効活用して、検知情報を取得し、この検知情報に基づいてユーザ状態を判断し、ユーザ状態に応じた画像をデジタルフォトフレーム３００の表示部３４０に表示できるようになる。
【０１５５】
図１６に本実施形態の第２の変形例を示す。図１６では、ホームサーバ２００の処理部２０２が、検知情報取得部２０４、転送部２０５に加えて、ユーザ状態判断部２０６、表示モード切り替え部２１６を含む。また、デジタルフォトフレーム３００に対して表示の指示を行う表示指示部２１８を含む。またホームサーバ２００の記憶部２２０は、コンテンツ情報記憶部２２２、検知情報記憶部２２４に加えて、ユーザ状態記憶部２２６、切り替えフラグ記憶部２２８、注視回数情報記憶部２２９を含む。
【０１５６】
図１６では、ユーザ検知センサ２５０であるホームセンサからの検知情報に基づいて、ホームサーバ２００のユーザ状態判断部２０６が、位置関係や視認状態等のユーザ状態を判断する。また表示モード切り替え部２１６は、ユーザ状態に応じて表示モードを切り替える処理を行う。例えばユーザとの位置関係や視認状態等に応じて、表示モードを切り替える。そして表示指示部２１８は、表示モードに応じた画像を表示するように、デジタルフォトフレーム３００に指示する処理を行う。即ち、ユーザと表示部３４０との位置関係や、ユーザの視認状態や、ユーザが検知範囲内に存在するか否かの少なくとも１つに応じて、表示部３４０に表示される画像の表示態様を変化させる表示指示を行う。そして、デジタルフォトフレーム３００の表示制御部３１８は、表示指示部２１８からの指示にしたがって、表示部３４０の表示制御を行う。これにより、ユーザとの位置関係やユーザの視認状態やユーザが検知範囲内に存在するか否かに応じて、表示部３４０の表示態様が変化する。
【０１５７】
図１６の第２の変形例によれば、ユーザ状態の判断処理や表示モードの切り替え処理をホームサーバ２００が行うため、デジタルフォトフレーム３００の処理負荷を軽減できる。従って、デジタルフォトフレーム３００の処理部３０２（ＣＰＵ）の処理能力が低い場合も、本実施形態の処理を実現できるようになる。なお、これらの処理を、ホームサーバ２００とデジタルフォトフレーム３００の分散処理により実現してもよい。
【０１５８】
なお、上記のように本実施形態について詳細に説明したが、本発明の新規事項および効果から実体的に逸脱しない多くの変形が可能であることは当業者には容易に理解できるであろう。従って、このような変形例はすべて本発明の範囲に含まれるものとする。例えば、明細書又は図面において、少なくとも一度、より広義または同義な異なる用語（位置関係、視認状態等）と共に記載された用語（距離、注視状態等）は、明細書又は図面のいかなる箇所においても、その異なる用語に置き換えることができる。またデジタルフォトフレーム、情報処理システムの構成、動作や、ユーザ状態の判断手法、位置関係の検出手法、視認状態の検出手法等も本実施形態で説明したものに限定に限定されず、種々の変形実施が可能である。
【図面の簡単な説明】
【０１５９】
【図１】図１（Ａ）、図１（Ｂ）はデジタルフォトフレームの例を示す図。
【図２】本実施形態のデジタルフォトフレームの構成例。
【図３】図３（Ａ）、図３（Ｂ）は距離に応じて表示画像の詳細度を変化させる手法の説明図。
【図４】図４（Ａ）、図４（Ｂ）は距離に応じて表示画像の画面分割数を変化させる手法の説明図。
【図５】図５（Ａ）、図５（Ｂ）はユーザと表示部との距離の検出手法の説明図。
【図６】図６（Ａ）、図６（Ｂ）はユーザが表示部を注視しているか否かに応じて表示画像の表示態様を変化させる手法の説明図。
【図７】図７（Ａ）、図７（Ｂ）はユーザが表示部を注視しているか否かに応じて表示画像の表示態様を変化させる手法の説明図。
【図８】図８（Ａ）、図８（Ｂ）はユーザが表示部を注視しているか否かに応じて表示画像の表示態様を変化させる手法の説明図。
【図９】図９（Ａ）〜図９（Ｃ）はユーザの注視状態の検出手法の説明図。
【図１０】本実施形態の表示態様の切り替え手法の具体例。
【図１１】本実施形態の表示態様の切り替え手法を実現するためのデータ構造の例。
【図１２】本実施形態の詳細な処理例を説明するためのフローチャート。
【図１３】注視状態の検出処理を説明するためのフローチャート。
【図１４】本実施形態の第１の変形例。
【図１５】ホームセンサの設置例。
【図１６】本実施形態の第２の変形例。
【符号の説明】
【０１６０】
２００  サーバ、２０２  処理部、２０４  検知情報取得部、２０５  転送部、
２０６  ユーザ状態判断部、２１６  表示モード切り替え部、２１８  表示指示部、
２２０  記憶部、２２２  コンテンツ情報記憶部、２２４  検知情報記憶部、
２２６  ユーザ状態記憶部、２２８  切り替えフラグ記憶部、２３８  通信部、
２５０  ユーザ検知センサ（ホームセンサ）、２６０  操作部、
３００  デジタルフォトフレーム、３０２  処理部、３０４  検知情報取得部、
３０６  ユーザ状態判断部、３０７  位置関係判断部、３０８  視認状態判断部、
３０９  ユーザ存在判断部、３１６  表示モード切り替え部、３１８  表示制御部、
３２０  記憶部、３２２  コンテンツ情報記憶部、３２４  検知情報記憶部、
３２６  ユーザ状態記憶部、３２８  切り替えフラグ記憶部、３３０  情報記憶媒体、
３３８  通信部、３４０  表示部、３５０  ユーザ検知センサ、３６０  操作部、
【図１】
2010004118.tif 000003
【図２】
2010004118.tif 000004
【図３】
2010004118.tif 000005
【図４】
2010004118.tif 000006
【図５】
2010004118.tif 000007
【図６】
2010004118.tif 000008
【図７】
2010004118.tif 000009
【図８】
2010004118.tif 000010
【図９】
2010004118.tif 000011
【図１０】
2010004118.tif 000012
【図１１】
2010004118.tif 000013
【図１２】
2010004118.tif 000014
【図１３】
2010004118.tif 000015
【図１４】
2010004118.tif 000016
【図１５】
2010004118.tif 000017
【図１６】
2010004118.tif 000018